(57)【要約】【課題】良好な音質を得ることができ、伝搬空気によるビビリ音の発生をなくし得るとともに、薄型化することができる表示装置を提供する。【解決手段】前側に表示面１ａを有する表示部１と、該表示部１の一側に装着され、音波を前側へ放射するスピーカと、前記表示面１ａに対応する箇所が開放され、前記表示部１及びスピーカを被覆するキャビネット３とを備え、表示部１及びスピーカの間に配置される遮音壁３３をキャビネット３に設けることにより、該キャビネット３内に放射音室を形成し、スピーカボックスをなくした。【選択図】図１
2008005459.tif 000002
【特許請求の範囲】
【請求項１】
前側に表示面を有する表示部と、該表示部の一側に装着され、音波を前側へ放射するスピーカと、前記表示面に対応する箇所が開放され、前記表示部及びスピーカを被覆するキャビネットとを備える表示装置において、前記キャビネットは、前記表示部とスピーカとの間に配置される遮音壁を有することを特徴とする表示装置。
【請求項２】
前記スピーカと遮音壁との間に吸振体を配置してある請求項１記載の表示装置。
【請求項３】
前記スピーカと遮音壁及びキャビネットとの間に吸振体を配置してある請求項１記載の表示装置。
【請求項４】
前記スピーカは、音波を放射するスピーカ本体と、該スピーカ本体を前記キャビネットに取付ける取付体とを有し、該取付体に、前記遮音壁に向けて延出された延出部を設けてある請求項１乃至３のいずれか一つに記載の表示装置。
【請求項５】
前記遮音壁は前記キャビネットと一体成形してある請求項１乃至４のいずれか一つに記載の表示装置。
【請求項６】
前記キャビネットの前記遮音壁よりも前記スピーカ側に一体にポートが形成されていることを特徴とする請求項１乃至５のいずれか一つに記載の表示装置。
【発明の詳細な説明】
【技術分野】
【０００１】
本発明は液晶表示装置、プラズマ表示装置等の表示装置に関する。
【背景技術】
【０００２】
液晶テレビ等の表示装置には、前側に表示面を有する表示部の一側にスピーカが装着されている。このスピーカは、前側が開放されたスピーカボックス内に収納されており、表示部を被覆するキャビネット内に前記スピーカボックスを取付けるように構成されている（例えば特許文献１〜５参照）。
【０００３】
図１１及び図１２は従来の表示装置の構成を示す一部を省略した縦断側面図である。この表示装置は表示部１００及びスピーカ１０１を被覆するキャビネット１０２内にスピーカボックス１０３が取付けられている。
【特許文献１】特開２００５−８０１７３号公報
【特許文献２】特開２００１−１６９２０９号公報
【特許文献３】特開２００５−８０１７３号公報
【特許文献４】特許２００５−２０３８９６号公報
【特許文献５】実開平４−１１６４８５号公報
【発明の開示】
【発明が解決しようとする課題】
【０００４】
ところが、特許文献１及び図１１、図１２のようにスピーカが収納されているスピーカボックスをキャビネット内に装着する表示装置にあっては、スピーカの外周りにスピーカボックスがあるため、スピーカ部分が大型となり、スピーカボックスが表示装置の薄型化に支障をきたすことになる。また、表示装置の薄型化を図るべくスピーカボックスを小型にすると、スピーカボックスの容積が少なくなり、音質の悪化をきたすことになる。
【０００５】
また、表示装置の薄型化を図り、且つ音質の悪化をなくすべくスピーカボックスをなくした場合、キャビネット内の全域がスピーカの外回りに連通するため、低音域で音圧を得ることができなくなり、また、スピーカから該スピーカの後側へ洩れる音波がキャビネット内の空気に伝搬され、該伝搬空気により表示部のパネルが微振動し、ビビリ音が発生することになる。
【０００６】
本発明は斯かる事情に鑑みてなされたものであり、主たる目的は表示部及びスピーカを被覆するキャビネットに、表示部とスピーカとの間に配置する遮音壁を設けることにより、良好な音質を得ることができ、伝搬空気によるビビリ音の発生をなくし得るとともに、薄型化することができる表示装置を提供することにある。
【０００７】
また、他の目的はスピーカと遮音壁との間に吸振体を配置することにより、スピーカに発生する振動が遮音壁からキャビネットに伝播されるのを抑制することができる表示装置を提供することにある。
【０００８】
また、他の目的は前記スピーカと遮音壁及びキャビネットとの間に吸振体を配置することにより、スピーカに発生する振動が遮音壁及びキャビネットに伝播されるのを抑制することができる表示装置を提供することにある。
【０００９】
また、他の目的は音波を放射するスピーカ本体と、該スピーカ本体を前記キャビネットに取付ける取付体とを有するスピーカの取付体に、遮音壁に向けて延出された延出部を設けることにより、遮音壁のキャビネットに対する長さを延出部の延出長さ分だけ短くすることができる表示装置を提供することにある。
【００１０】
また、他の目的は遮音壁をキャビネットと一体成形してある構成とすることにより、遮音壁を備える割にコストを低減できる表示装置を提供することにある。
【００１１】
また、他の目的はキャビネットにポートが一体形成してあることにより、中低音域を簡易に向上させることができる表示装置を提供することにある。
【課題を解決するための手段】
【００１２】
本発明に係る表示装置は、前側に表示面を有する表示部と、該表示部の一側に装着され、音波を前側へ放射するスピーカと、前記表示面に対応する箇所が開放され、前記表示部及びスピーカを被覆するキャビネットとを備える表示装置において、前記キャビネットは、前記表示部とスピーカとの間に配置される遮音壁を有することを特徴とする。
【００１３】
この発明にあっては、表示部とスピーカとの間を遮音壁により遮音してあり、キャビネット内に放射音室を形成することができるため、良好な音質を得ることができ、伝搬空気によるビビリ音の発生をなくし得るとともに、表示装置を薄型化することができる。
【００１４】
また、本発明に係る表示装置は、前記スピーカと遮音壁との間に吸振体を配置してあることを特徴とする。
【００１５】
この発明にあっては、スピーカに発生する振動が遮音壁からキャビネットに伝播されるのを吸振体により抑制することができ、ビビリ音の発生をより一層なくすることができる。
【００１６】
また、本発明に係る表示装置は、前記スピーカと遮音壁及びキャビネットとの間に吸振体を配置してあることを特徴とする。
【００１７】
この発明にあっては、スピーカに発生する振動が遮音壁及びキャビネットに伝播されるのを吸振体により抑制することができ、ビビリ音の発生をより一層なくすることができる。
【００１８】
また、本発明に係る表示装置は、前記スピーカは、音波を放射するスピーカ本体と、該スピーカ本体を前記キャビネットに取付ける取付体とを有し、該取付体に、前記遮音壁に向けて延出された延出部を設けてあることを特徴とする。
【００１９】
この発明にあっては、遮音壁のキャビネットに対する長さを延出部の延出長さ分だけ短くすることができるため、遮音壁の剛性を高めることができる。
【００２０】
また、本発明に係る表示装置は、前記遮音壁は前記キャビネットと一体成形してあることを特徴とする。
【００２１】
この発明にあっては、遮音壁を備える割にコストを低減でき、しかも、遮音壁部分に成形ひけ等の不良箇所がないキャビネットを簡易に得ることができる。
【００２２】
また、本発明に係る表示装置は、前記キャビネットの前記遮音壁よりも前記スピーカ側に一体にポートが形成されていることを特徴とする。
【００２３】
この発明にあっては、キャビネットの遮音壁よりもスピーカ側、即ち放射音室にポートが形成されており、このポートの内部で音波が反響するため、スピーカから前側へ放射された音波と後側へ放射された音波とが強め合い、特に低音域及び中音域が向上する。
また、ポートがキャビネットに一体に形成されているため、従来のようにスピーカボックスに別部品を取り付けてポートを形成する場合よりもポートの形成が簡易である。
【発明の効果】
【００２４】
以上詳述したように本発明によれば、良好な音質を得ることができ、伝搬空気によるビビリ音の発生をなくし得るとともに、表示装置を薄型化することができる。
【００２５】
また、本発明によれば、スピーカに発生する振動が遮音壁からキャビネットに伝播されるのを吸振体により抑制することができ、ビビリ音の発生をより一層なくすることができる。
【００２６】
また、本発明によれば、スピーカに発生する振動が遮音壁及びキャビネットに伝播されるのを吸振体により抑制することができ、ビビリ音の発生をより一層なくすることができる。
【００２７】
また、本発明によれば、遮音壁のキャビネットに対する長さを延出部の延出長さ分だけ短くすることができるため、遮音壁の剛性を高めることができる。
【００２８】
また、本発明によれば、遮音壁を備える割にコストを低減でき、しかも、遮音壁部分に成形ひけ等の不良箇所がないキャビネットを簡易に得ることができる。
【００２９】
また、本発明によれば、簡易に形成されているポートによって中低音域を向上させることができる。
【発明を実施するための最良の形態】
【００３０】
以下本発明をその実施の形態を示す図面に基づいて詳述する。
実施の形態１
図１及び図２は本発明に係る表示装置の要部の構成を示す縦断側面図、図３は前キャビネット本体の背面図、図４は表示装置の全体構成を示す斜視図、図５はスピーカの構成を示す分解斜視図、図６は取付体の構成を示す背面図である。
【００３１】
図示した表示装置はテレビ画像等を表示する表示面１ａを前側に有し、略直方形をなす表示部１と、該表示部１の下部両側に装着され、音波を前側へ放射するスピーカ２と、表示面１ａに対応する箇所が開放され、表示部１及びスピーカ２を被覆するキャビネット３とを備える薄型の液晶テレビである。
【００３２】
表示部１は前側に表示面１ａを有する液晶のパネル１１と、該パネル１１の後側に配置された光学シート１２と、バックライト部１３と、電源基板等のテレビ基板とを備える。
【００３３】
キャビネット３は、表示部１の前側周縁部及びスピーカ２の前部を被覆する前キャビネット本体３１と、表示部１及びスピーカ２の周縁部より後側を被覆する後キャビネット本体３２とを備え、後キャビネット本体３２の前端部を前キャビネット本体３１の後端部内側に重合させた状態で互いに取外し可能に連結されている。
【００３４】
前キャビネット本体３１は表示部１の前側周縁部を被覆する矩形の枠部３１ａの下部に、横長の矩形をなし、両端側に複数の放音孔を有するスピーカ支持板３１ｂが一体成形されており、該スピーカ支持板３１ｂの後面で、放音孔に対応する箇所に、二つのスピーカ２，２が取付けられる座部３１ｃ及び螺子孔を有する筒部３１ｄが設けられている。また、スピーカ支持板３１ｂの前側には図示していないがパンチングプレート等の複数の小孔を有する装飾板が装着されている。
【００３５】
後キャビネット本体３２は、後壁３２ａ及び該後壁３２ａの周縁に連なる二つの側壁、天壁及び底壁３２ｂを有する正面視矩形の深皿形をなし、後壁３２ａの下部両側に、表示部１及びスピーカ２の間に配置され、二つのスピーカ２，２の外回りを被覆する二つの遮音壁３３，３３と、取っ手用の二つの凹部３４，３４とを一体成形してある。
【００３６】
遮音壁３３は横長部３３ａと、該横長部３３ａの両端から下方へ湾曲する湾曲部３３ｂ，３３ｂとを有し、後壁３２ａと前キャビネット本体３１の後端との間に配置されており、該遮音壁３３と、後壁３２ａ及び底壁３２ｂとにより放射音室を形成している。
【００３７】
スピーカ２は、筒体２１ａの一端部に保持される音波発生部２１ｂ及び該音波発生部２１ｂが発生した音波を放射する音波放射部２１ｃを筒体２１ａの他端部に有するスピーカ本体２１と、筒体２１ａの他端部が結合され、スピーカ本体２１をスピーカ支持板３１ｂの座部３１ｃに取付ける取付体２２とを備える。
【００３８】
取付体２２は音波放射部２１ｃに対応する貫通孔を中心部に有し、矩形をなす枠部２２ａと、該枠部２２ａの一方の孔縁から外方に向けて延出された長円筒状の延出部２２ｂと、枠部２２ａの四角に設けられた鍔部２２ｃとを有し、該鍔部２２ｃに、筒部３１ｄに対応する挿通孔が設けられているゴム製の弾性筒４が挿嵌保持されている。
【００３９】
延出部２２ｂは、延出端末が遮音壁３３の前端部内面及び底壁３２ｂと僅かに離隔して重合しており、この重合する延出端末と遮音壁３３の前端部内面及び底壁３２ｂとの間に環状の吸振体５を設けてある。
【００４０】
吸振体５は厚環部５ａ及び該厚環部５ａの外周部に連なる薄環部５ｂを有し、該薄環部５ｂが延出部２２ｂの延出端末に嵌合保持されており、取付体２２がスピーカ支持板３１ｂの座部３１ｃに取付けられるとき、遮音壁３３の前端部内面及び底壁３２ｂの内側に内嵌され、スピーカ本体２１が発生する微振動を吸振することができるように構成されている。
【００４１】
以上のように構成された表示装置はスピーカ支持板３１ｂの両側の座部３１ｃ，３１ｃにスピーカ２，２が取付けられる。この取付けは、環状の吸振体５及び弾性筒４が保持されている取付体２２の吸振体５を遮音壁３３の前端部内面及び底壁３２ｂの内側に内嵌するとともに、弾性筒４に雄螺子６を挿通し、該雄螺子６を筒部３１ｄの螺子孔に緊締することによりスピーカ２の全体を弾性的に取付ける。この場合、スピーカ本体２１が結合されている取付体２２は、前キャビネット本体３１への取付箇所、及び後キャビネット本体３２との対向箇所の２箇所で弾性的に支持されているため、スピーカ本体２１が音波を放射するときに発生する微振動を吸振体５及び弾性筒４により吸振することができる。従って、微振動が取付体２２から前キャビネット本体３１及び後キャビネット本体３２に伝播されるのを抑制することができ、表示部１のパネル１１が微振動するのを防ぐことができ、ビビリ音の発生を防ぐことができる。
【００４２】
また、キャビネット３が遮音壁３３を備え、該遮音壁３３と後キャビネット本体３２との間に放射音室が形成されているため、キャビネット３の前後長さを短くすることができ、表示装置の薄型化を図ることができ、また、スピーカ２から放射音室に放射することができるため、良好な音質を得ることができる。また、取付体２２が環状の延出部２２ｂを有するため、遮音壁３３の前後長さを後キャビネット本体３２の深さより短くすることができ、遮音壁３３部分に成形ひけ等の不良箇所がないキャビネットを簡易に得ることができる。
【００４３】
実施の形態２
図７及び図８は本発明に係る表示装置の要部の構成を示す縦断側面図である。この表示装置は実施の形態１の吸振体５をなくし、延出部２２ｂと、遮音壁３３の前端部内面及び底壁３２ｂとが僅かに離隔して重合する構成とし、延出部２２ｂ、遮音壁３３、後壁３２ａ及び底壁３２ｂにより放射音室を形成するとともに、スピーカ本体２１が放音するときに発生する微振動を取付体２２から後キャビネット本体３２に伝播されるのを抑制するように構成したものである。
【００４４】
この実施の形態２にあっては、延出部２２ｂ、遮音壁３３及び後キャビネット本体３２により放射音室が形成されているため、良好な音質を得ることができ、また、部品点数を低減でき、コストの低減を図ることができる。
その他の構成及び作用は実施の形態１と同様であるため、同様の部品については同じ符号を付し、その詳細な説明及び作用効果の説明を省略する。
【００４５】
尚、以上説明した実施の形態では表示部１の下部両側にスピーカ２，２を装着してなる表示装置について説明したが、その他、スピーカ２は表示部１の下部一側、下部中央部等の一箇所に備える構成としてもよい。また、吸振体５及び弾性筒４を備える構成としたが、その他、吸振体５及び弾性筒４をなくした構成としてもよい。また、スピーカ２の取付体２２は長円筒状の延出部２２ｂを備える構成としたが、その他、取付体２２は延出部２２ｂをなくした構成としてもよい。
【００４６】
また、本発明に係る表示装置は液晶テレビ等の液晶表示装置である他、プラズマ表示装置、ＥＬディスプレイ等の表示装置であってもよい。
【００４７】
実施の形態３
図９は本発明に係る表示装置の要部の構成を示す縦断側面図、図１０は後キャビネット本体の背面図である。
この表示装置は、実施の形態１の表示装置とは異なり、バスレフ（Bass Reflex ：低音輻射）型のポート（ダクト）３２ｃ，３２ｃが、キャビネット３の遮音壁３３よりもスピーカ２，２側に一体に形成されている。
【００４８】
更に詳細には、各ポート３２ｃは、適宜の内径及び軸長を有する円筒状であり、一端側が後キャビネット本体３２の後壁３２ａに開口し、他端側が上述の放射音室内部で開口している。この他端側の開口には、例えば子供が指、棒材等をキャビネット３内部へ突き入れることを防止するための正面視十字状の開口閉鎖部３２ｄが設けられている。ただし、開口閉鎖部３２ｄは、開口面積を大幅に狭めることはない。
【００４９】
また、ポート３２ｃ，３２ｃは、スピーカ２，２の真後ろではなく、横方向へ適長離隔した位置に形成される。
以上のようなポート３２ｃ，３２ｃは、例えば合成樹脂を用いて後キャビネット本体３２を成型する場合に一体形成される。つまり、ポート３２ｃ，３２ｃは簡易に形成される。
【００５０】
音波発生部２１ｂが発生した音波の一部は、ポート３２ｃ，３２ｃの内部で反響しながら、ポート３２ｃ，３２ｃを通ってキャビネット３の後方へ放射される。
仮に、ポート３２ｃ，３２ｃが形成されていない場合、スピーカ２，２から前側へ放射された音波と後側へ放射された音波とは打ち消し合う。しかしながら、本発明においてはポート３２ｃ，３２ｃ内部で音波が反響することによって、後側へ放射された音波の振動方向が変化するため、スピーカ２，２から前側へ放射された音波と後側へ放射された音波とが強め合う。この結果、特に低音域及び中音域の音質が向上する（即ち低音域及び中音域が伸びる）。
【００５１】
また、仮に、ポート３２ｃ，３２ｃとスピーカ２，２とが前キャビネット本体３１に並設されている場合、ポート３２ｃ，３２ｃを形成する分だけ前キャビネット本体３１、延いてはキャビネット３を大型にする必要がある。しかしながら、ポート３２ｃ，３２ｃは後キャビネット本体３２に備えられているため、キャビネット３はコンパクトに形成されている。
その他の構成及び作用は実施の形態１と同様であるため、同様の部品については同じ符号を付し、その詳細な説明及び作用効果の説明を省略する。
【００５２】
なお、ポート３２ｃ，３２ｃは、後壁３２ａに形成される構成に限定されるものではなく、キャビネット３の遮音壁３３よりもスピーカ２，２側であれば、後キャビネット本体３２の側壁、底壁３２ｂ等に一体に形成されていてもよく、前キャビネット本体３１に形成されてもよい。また、例えばスピーカ２，２が天壁近傍に配されている場合は、ポート３２ｃ，３２ｃは天壁に一体に形成されていてもよい。
【図面の簡単な説明】
【００５３】
【図１】本発明に係る表示装置の要部の構成を示す縦断側面図である。
【図２】本発明に係る表示装置の要部の構成を示す縦断側面図である。
【図３】本発明に係る表示装置の前キャビネット本体の背面図である。
【図４】本発明に係る表示装置の全体構成を示す斜視図である。
【図５】本発明に係る表示装置のスピーカの構成を示す分解斜視図である。
【図６】本発明に係る表示装置の取付体の構成を示す背面図である。
【図７】本発明に係る表示装置の要部の構成を示す縦断側面図である。
【図８】本発明に係る表示装置の要部の構成を示す縦断側面図である。
【図９】本発明に係る表示装置の要部の構成を示す縦断側面図である。
【図１０】本発明に係る表示装置の後キャビネット本体の背面図である。
【図１１】従来の表示装置の構成を示す一部を省略した縦断側面図である。
【図１２】従来の表示装置の構成を示す一部を省略した縦断側面図である。
【符号の説明】
【００５４】
１    表示部
１ａ  表示面
２    スピーカ
２１  スピーカ本体
２１ｂ  音波発生部
２２  取付体
２２ｂ  延出部
３    キャビネット
３２ｃ  ポート
３３  遮音壁
５    吸振体
【図１】
2008005459.tif 000003
【図２】
2008005459.tif 000004
【図３】
2008005459.tif 000005
【図４】
2008005459.tif 000006
【図５】
2008005459.tif 000007
【図６】
2008005459.tif 000008
【図７】
2008005459.tif 000009
【図８】
2008005459.tif 000010
【図９】
2008005459.tif 000011
【図１０】
2008005459.tif 000012
【図１１】
2008005459.tif 000013
【図１２】
2008005459.tif 000014